【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
弁本体と、該弁本体内に形成された有底の弁室と、該弁室から上方に向けて形成されるとともに前記弁本体の上端に開口した開口部と、前記弁本体に形成され前記弁室に高圧冷媒を導入する第１の通路と、前記弁本体に形成され蒸発器側に送出される冷媒が通過する第２の通路と、前記弁本体に形成され前記蒸発器側から送出される冷媒が通過する第３の通路と、前記開口部内に装着され前記弁室から前記第２の通路に向けて流れる冷媒を絞る絞り部を有するオリフィス部と、該絞り部に対向するように前記弁室内に配置された弁体と、前記開口部内に挿入され前記弁体を移動させる作動棒と、前記弁本体の上端に装着され前記作動棒を駆動する駆動装置と、前記開口部内に装着され前記作動棒を摺動自在に案内するガイド部材と、を備え、前記弁体、前記オリフィス部、前記ガイド部材、前記作動棒を前記弁本体の上方から前記弁本体内に挿入・装着するようにしたことを特徴とする膨張弁。
【請求項２】
前記オリフィス部が前記ガイド部材に一体的に形成されていることを特徴とする請求項１に記載の膨張弁。
【請求項３】
前記ガイド部材は、前記弁本体にカシメ固定されていることを特徴とする請求項１に記載の膨張弁。
【請求項４】
前記ガイド部材は、前記ガイド部材を前記弁本体の所定箇所に位置決めするための位置決め部を前記弁本体と協働して構成していることを特徴とする請求項１に記載の膨張弁。
【請求項５】
前記位置決め部は、前記ガイド部材に一体的に形成された段部により構成されていることを特徴とする請求項４に記載の膨張弁。
【請求項６】
前記オリフィス部は、前記弁本体に圧入されていることを特徴とする請求項１に記載の膨張弁。
【請求項７】
前記段部は、前記弁本体に対してシール性を保持する状態で当接していることを特徴とする請求項５に記載の膨張弁。
【請求項８】
前記段部における前記弁本体との当接部は、前記弁本体に面接触していることを特徴とする請求項７に記載の膨張弁。
【請求項９】
前記ガイド部材を前記弁本体に対して位置決めする位置決め部が、前記オリフィス部と前記弁本体によって構成されていることを特徴とする請求項２に記載の膨張弁。
【請求項１０】
前記位置決め部は、前記弁本体に一体的に形成された段部により構成されていることを特徴とする請求項９に記載の膨張弁。
【請求項１１】
前記ガイド部材は、前記弁本体にカシメ固定されていることを特徴とする請求項９又は請求項１０に記載の膨張弁。
【請求項１２】
前記ガイド部材は、前記作動棒の振動を防止する防振部材を備えていることを特徴とする請求項１乃至請求項１１のいずれかに記載の膨張弁。
【請求項１３】
前記防振部材が前記ガイド部材に内装され、前記ガイド部材における前記防振部材を内装する部位の少なくとも一部が前記第３の通路内に配置されていることを特徴とする請求項１２に記載の膨張弁。
【請求項１４】
前記オリフィス部の外周にはシール溝が形成され、該シール溝にはリングシールが装着されていることを特徴とする請求項１乃至請求項１３のいずれかに記載の膨張弁。
【請求項１５】
前記開口部は、前記第３の通路に連通するとともに上端が前記駆動装置を取付けるための駆動装置取付穴とされ、該駆動装置取付穴の内周には環状凹溝とめねじ部が形成され、前記駆動装置は前記駆動装置取付穴に固定されるキャン体を有し、該キャン体には前記駆動装置取付穴に嵌合する筒状の取付座が一体に形成され、該取付座の外周には前記めねじ部に螺合するおねじ部が形成され、前記環状凹溝には前記取付座の外周面に密着するシール部材が配置されていることを特徴とする請求項１乃至請求項１４のいずれかに記載の膨張弁。
【請求項１６】
前記シール部材はＯリングであることを特徴とする請求項１５に記載の膨張弁。
【請求項１７】
前記キャン体内には、前記蒸発器から送出される冷媒の温度を感知して変位するダイアフラムと該ダイアフラムの変位を前記作動棒に伝達するストッパ部材が装備され、前記作動棒の一方の端部が前記ストッパ部材に接続されるとともに前記作動棒の他方の端部の先端が前記弁体に当接していることを特徴とする請求項１５に記載の膨張弁。
【手続補正２】
【補正対象書類名】明細書
【補正対象項目名】０００８
【補正方法】変更
【補正の内容】
【０００８】
本発明は、上記課題を達成するために、下記の手段を講じた。即ち、
請求項１記載の膨張弁は、弁本体と、該弁本体内に形成された有底の弁室と、該弁室から上方に向けて形成されるとともに前記弁本体の上端に開口した開口部と、前記弁本体に形成され前記弁室に高圧冷媒を導入する第１の通路と、前記弁本体に形成され蒸発器側に送出される冷媒が通過する第２の通路と、前記弁本体に形成され前記蒸発器側から送出される冷媒が通過する第３の通路と、前記開口部内に装着され前記弁室から前記第２の通路に向けて流れる冷媒を絞る絞り部を有するオリフィス部と、該絞り部に対向するように前記弁室内に配置された弁体と、前記開口部内に挿入され前記弁体を移動させる作動棒と、前記弁本体の上端に装着され前記作動棒を駆動する駆動装置と、前記開口部内に装着され前記作動棒を摺動自在に案内するガイド部材と、を備え、前記弁体、前記オリフィス部、前記ガイド部材、前記作動棒を前記弁本体の上方から前記弁本体内に挿入・装着するようにしたことを特徴とする。
【手続補正３】
【補正対象書類名】明細書
【補正対象項目名】０００９
【補正方法】変更
【補正の内容】
【０００９】
請求項２記載の膨張弁は、請求項１記載の膨張弁において、前記オリフィス部が前記ガイド部材に一体的に形成されていることを特徴とする。
【手続補正４】
【補正対象書類名】明細書
【補正対象項目名】００１０
【補正方法】変更
【補正の内容】
【００１０】
請求項３記載の膨張弁は、請求項１記載の膨張弁において、前記ガイド部材は、前記弁本体にカシメ固定されていることを特徴とする。
【手続補正５】
【補正対象書類名】明細書
【補正対象項目名】００１１
【補正方法】変更
【補正の内容】
【００１１】
請求項４記載の膨張弁は、請求項１記載の膨張弁において、前記ガイド部材は、前記ガイド部材を前記弁本体の所定箇所に位置決めするための位置決め部を前記弁本体と協議して構成していることを特徴とする。
【手続補正６】
【補正対象書類名】明細書
【補正対象項目名】００１２
【補正方法】変更
【補正の内容】
【００１２】
請求項５記載の膨張弁は、請求項４記載の膨張弁において、前記位置決め部は、前記ガイド部材に一体的に形成された段部により構成されていることを特徴とする。
【手続補正７】
【補正対象書類名】明細書
【補正対象項目名】００１３
【補正方法】変更
【補正の内容】
【００１３】
請求項６記載の膨張弁は、請求項１記載の膨張弁において、前記オリフィス部は、前記弁本体に圧入されていることを特徴とする。
【手続補正８】
【補正対象書類名】明細書
【補正対象項目名】００１４
【補正方法】変更
【補正の内容】
【００１４】
請求項７記載の膨張弁は、請求項５記載の膨張弁において、前記段部は、前記弁本体に対してシール性を保持する状態で当接していることを特徴とする。
【手続補正９】
【補正対象書類名】明細書
【補正対象項目名】００１５
【補正方法】変更
【補正の内容】
【００１５】
請求項８記載の膨張弁は、請求項７記載の膨張弁において、前記段部における前記弁本体との当接部は、前記弁本体に面接触していることを特徴とする。
【手続補正１０】
【補正対象書類名】明細書
【補正対象項目名】００１６
【補正方法】変更
【補正の内容】
【００１６】
請求項９記載の膨張弁は、請求項２記載の膨張弁において、前記ガイド部材を前記弁本体に対して位置決めする位置決め部が、前記オリフィス部と前記弁本体によって構成されていることを特徴とする。
【手続補正１１】
【補正対象書類名】明細書
【補正対象項目名】００１７
【補正方法】変更
【補正の内容】
【００１７】
請求項１０記載の膨張弁は、請求項９記載の膨張弁において、前記位置決め部は、前記弁本体に一体的に形成された段部により構成されていることを特徴とする。
【手続補正１２】
【補正対象書類名】明細書
【補正対象項目名】００１８
【補正方法】変更
【補正の内容】
【００１８】
請求項１１記載の膨張弁は、請求項９又は請求項１０に記載の膨張弁において、前記ガイド部材は、前記弁本体にカシメ固定されていることを特徴とする。
【手続補正１３】
【補正対象書類名】明細書
【補正対象項目名】００１９
【補正方法】変更
【補正の内容】
【００１９】
請求項１２記載の膨張弁は、請求項１乃至請求項１１のいずれかに記載の膨張弁において、前記ガイド部材は、前記作動棒の振動を防止する防振部材を備えていることを特徴とする。
【手続補正１４】
【補正対象書類名】明細書
【補正対象項目名】００２０
【補正方法】変更
【補正の内容】
【００２０】
請求項１３記載の膨張弁は、請求項１２記載の膨張弁において、前記防振部材が前記ガイド部材に内装され、前記ガイド部材における前記防振部材を内装する部位の少なくとも一部が前記第３の通路内に配置されていることを特徴とする。
【手続補正１５】
【補正対象書類名】明細書
【補正対象項目名】００２１
【補正方法】変更
【補正の内容】
【００２１】
請求項１４記載の膨張弁は、請求項１乃至請求項１３のいずれかに記載の膨張弁において、前記オリフィス部の外周にはシール溝が形成され、該シール溝にはリングシールが装着されていることを特徴とする。
【手続補正１６】
【補正対象書類名】明細書
【補正対象項目名】００２２
【補正方法】変更
【補正の内容】
【００２２】
請求項１５記載の膨張弁は、請求項１乃至請求項１４のいずれかに記載の膨張弁において、前記開口部は、前記第３の通路に連通するとともに上端が前記駆動装置を取付けるための駆動装置取付穴とされ、該駆動装置取付穴の内周には環状凹溝とめねじ部が形成され、前記駆動装置は前記駆動装置取付穴に固定されるキャン体を有し、該キャン体には前記駆動装置取付穴に嵌合する筒状の取付座が一体に形成され、該取付座の外周には前記めねじ部に螺合するおねじ部が形成され、前記環状凹溝には前記取付座の外周面に密着するシール部材が配置されていることを特徴とする。
【手続補正１７】
【補正対象書類名】明細書
【補正対象項目名】００２３
【補正方法】変更
【補正の内容】
【００２３】
請求項１６記載の膨張弁は、請求項１５記載の膨張弁において、前記シール部材はＯリングであることを特徴とする。
また、請求項１７記載の膨張弁は、請求項１５記載の膨張弁において、前記キャン体内には、前記蒸発器から送出される冷媒の温度を感知して変位するダイアフラムと該ダイアフラムの変位を前記作動棒に伝達するストッパ部材が装備され、前記作動棒の一方の端部が前記ストッパ部材に接続されるとともに前記作動棒の他方の端部の先端が前記弁体に当接されることを特徴とする。